(57)【要約】【課題】従来の冷却補助容器は、飲食物が入った容器の外側で氷を収容する空間を要していたので、飲食物が入った容器に対して全体が大きくなる、といった点を改善する。【解決手段】本発明の冷却補助容器１は、飲食物を入れる容器２と、この容器２の側面を内嵌する外容器３と、容器２の外面と外容器３の内面で形成される水収納部３Ａと、外容器３の内面の一部と容器２の外面との一部との間に形成された氷水の注ぎ口３Ｂとを備え、水収納部３Ａと注ぎ口３Ｂが連通部を介して連通し、注ぎ口３Ｂから注いだ氷水中の水を水収納部３Ａへ流入させ、氷を注ぎ口３ｂで滞留させる構成とした。【選択図】図１
2019162225.tif 000002
【特許請求の範囲】
【請求項１】
飲食物を入れる容器と、この容器の側面を内嵌する外容器と、前記容器の外面と前記外容器の内面で形成される水収納部と、前記外容器の内面の一部と前記容器の外面との一部との間に形成された氷水の注ぎ口とを備え、前記水収納部と前記注ぎ口が連通部を介して連通し、前記注ぎ口から注いだ氷水中の水を前記水収納部へ流入させ、氷を前記注ぎ口で滞留させる構成としたことを特徴とする冷却補助容器。
【請求項２】
水収納部は、注ぎ口側から、離反する方向へ下り勾配の傾斜が設けられていることを特徴とする請求項１記載の冷却補助容器。
【請求項３】
外容器に容器を固定する固定機構を備えたことを特徴とする請求項１又は２記載の冷却補助容器。
【発明の詳細な説明】
【技術分野】
【０００１】
本発明は、大型化を抑制して携帯可能な冷却補助容器に関するものである。
【背景技術】
【０００２】
例えば、以下の特許文献１〜３には、いずれも、熱せられた飲食物の入った容器を氷水に浸して冷却するように構成された冷却補助容器が示されている。
【０００３】
特許文献１は、保冷時間の長期化と外面が結露しないようにすることを目的として、断熱保冷構造の容器の口部へ着脱自在に蓋装される栓体に竪穴状の挿置口を貫設し、該挿置口より筒状の食品挿置体を導下して容器内に収容させ、食品挿置体の外周に冷却室を形成した構成が示されている。
【０００４】
特許文献２は、縦長形状の容器の冷却時の取扱いが便利で冷却や保冷時に倒れにくくすることを目的として、氷水を収容するための容器内を仕切り材によって少なくとも２つの領域に区画し、仕切り材自体又は仕切り材の端部に領域間の流体のみの通過を許容する連通部を形成し、領域の一方に収容した被冷却物に領域の他方に収容した氷が干渉しないようにした構成が示されている。
【０００５】
特許文献３は、哺乳瓶に入った液体を簡便に素早く衛生的で安価に適温まで冷却することを目的として、哺乳瓶を覆う冷却筒を有し、冷却筒内に哺乳瓶を保持する哺乳瓶台を備え、氷や水などの冷却媒体を収納する空間を設けた構成が示されている。
【０００６】
しかしながら、上記特許文献１〜３に示す冷却補助容器は、いずれも、飲食物が入った容器の上面を除く側方と底部に氷水における氷を収容する空間を要するので、飲食物が入った容器は小さいとしても、全体として非常に大きくなり、持ち運び難くなるといった不具合や、食べにくくなるといった不具合があった。
【０００７】
ちなみに、特許文献２は、氷水を収容するための容器内を仕切り材によって２つの領域に区画し、領域の一方に収容した被冷却物に領域の他方に収容した氷が干渉しないようにしているものの、区画した他方の領域が飲食物が入った容器の上面を除く側方と底部に存在するので、結局、この氷を収容する（特許文献２で言う「領域の他方」）空間分だけ大型化する。
【先行技術文献】
【特許文献】
【０００８】
【特許文献１】特開平４−９１７５号公報
【特許文献２】実用新案登録第３０８５９０６号公報
【特許文献３】特開２０１５−３３６３６号公報
【発明の概要】
【発明が解決しようとする課題】
【０００９】
解決しようとする問題は、従来の冷却補助容器は、飲食物が入った容器の外側で氷を収容する空間を要していたので、飲食物が入った容器に対して全体が大きくなる、といった点である。
【課題を解決するための手段】
【００１０】
本発明は、飲食物を入れる容器と、この容器の側面を内嵌する外容器と、前記容器の外面と前記外容器の内面で形成される水収納部と、前記外容器の内面の一部と前記容器の外面との一部との間に形成された氷水の注ぎ口とを備え、前記水収納部と前記注ぎ口が連通部を介して連通し、前記注ぎ口から注いだ氷水中の水を前記水収納部へ流入させ、氷を前記注ぎ口で滞留させる構成としたことを特徴としている。
【発明の効果】
【００１１】
本発明の冷却補助容器は、注ぎ口と水収納部との連通部分に、氷水における氷を注ぎ口で滞留させて水収納部へ流入しないように、つまり水収納部では氷が分離された水だけが流入するように容器を配置する構成としているので、外容器の内側に嵌合した容器の側部に面する一部、つまり注ぎ口を除いた容器の側部と底部に氷を収容する空間を設ける必要はなく、その分だけ全体を小型化できる。
【図面の簡単な説明】
【００１２】
【図１】本発明の冷却補助容器を示す斜視図である。
【図２】本発明の冷却補助容器の容器と外容器を分離した状態を示す斜視図である。
【図３】本発明の冷却補助容器の水収納部と注ぎ口の構造を説明するための部分端面図である。
【図４】本発明の冷却補助容器の水収納部と注ぎ口の構造を説明するための上方から視た図である。
【図５】本発明の冷却補助容器の抉れ部を説明するための側方から視た図である。
【発明を実施するための形態】
【００１３】
本発明の冷却補助容器は、従来の飲食物が入った容器の外側において氷を収容する空間が存在していたことに起因して全体が大きくなるという不具合を、外容器の内面の一部と容器の外面との一部との間に形成された氷水の注ぎ口とを備え、水収納部と注ぎ口が連通部を介して連通し、注ぎ口から注いだ氷水中の水を水収納部へ流入させ、氷を注ぎ口で滞留させることで改善した。
【００１４】
例えば外容器の注ぎ口は例えば容器の側部に面する一部分的に該容器の外側方向に膨出させた構成の場合は、注ぎ口で氷を滞留させ、水収納部では水だけを収納する空間にできるので、容器に対する外容器を小型化することができる。
【００１５】
また本発明は、上記において、水収納部は、注ぎ口側から、離反する方向へ下り勾配の傾斜が設けられていてもよい。水収納部において、注ぎ口側から該注ぎ口から離反する方向に下り勾配の傾斜を設けることで、水収納部内で容器によって温まった水は上方へ移動しようとする一方で注ぎ口において氷で冷えた水は下方へ移動しようとする。水収納部において注ぎ口側から離反する方向へ下り勾配の傾斜を設けることで、水の対流を促すこととなり、容器を効率良く冷やすことができる。
【００１６】
さらに、本発明は、上記において、外容器に、容器を固定する固定機構を備えてもよい。こうすることで、水収納部における水に容器が浮かんで周方向に回転したり、不安定になることを防止できる。
【実施例】
【００１７】
以下、本発明の実施例について、図面を参照して説明する。１は、本発明の冷却補助容器である。この冷却補助容器１は、飲食物を入れる容器２と、この容器２の側面と底面が嵌合される外容器３と、を備える。
【００１８】
容器２は、熱伝導率の高いステンレスやアルマイトなどの金属が用いられると好適であるが、必須というわけではなく、電子レンジで使用できる樹脂を材質としたものであっても構わない。
【００１９】
また、容器２は、底面部の面積が広く確保され、若干の深さがあるいわゆるスープ皿のような形状とされ、その開口上面縁部（リム）には底面部に対して平行に外径側に突出した係合部２Ａが形成されている。さらに、容器２の係合部２Ａの直径対向位置には該係合部２Ａからさらに外径方向に延出された取手２ａ，２ａが形成されている。また、容器２の内底面には例えば食材の磨りつぶし用の突起２ｂが形成されている。
【００２０】
なお、容器２は、開口上面縁部に係合部２Ａが形成され、かつ外容器３の後述の注ぎ口３Ｂと水収納部３Ａの連通部において該注ぎ口３Ｂで氷が該水収納部３Ａに流入しないように遮る（水は水収納部３Ａに流入可能）ことができれば、形状は限定しない。
【００２１】
外容器３は、内側に容器２が嵌まるように構成されている。また、外容器３は、倒れにくいように下面（設置面）の方が上面（容器２を挿入する側の面）より面積が大きく、側面視では略台形状とされている。
【００２２】
さらに、外容器３は、該外容器３の内側と、嵌合した容器２の外周部と底部と、において水が浸入する隙間が形成され、ここを水収納部３Ａとしている。また、外容器３は、例えば容器２が嵌る側部の一部に、外径方向に突出して形成された氷水の注ぎ口３Ｂが形成されている。つまり、本例では、注ぎ口３Ｂは、外容器３の内側に嵌合した容器２の側部に面する一部が平面視で該容器２の外側方向に膨出した状態に形成されている。
【００２３】
注ぎ口３Ｂと水収納部３Ａとは連通した状態とされ、容器２を外容器３に嵌入することで注ぎ口３Ｂにおける水収納部３Ａ側への連通部が部分的に遮られる。部分的にとは、本実施例では、具体的には、前記連通部のうち、外容器３の内底近くを除いた部位を意味する。つまり、本発明の冷却補助容器１は、容器２を外容器３に嵌入することで、氷が注ぎ口３Ｂに滞留して水収納部３Ａへ流入しないように構成されている。
【００２４】
飲食物を冷却するため、注ぎ口３Ｂから、例えば立方体形状の氷の入った氷水を注入すると、氷は容器２に遮られて、また、水収納部３Ａは、容器２の外面と外容器３の内面によって形成される空間であるが、そもそも水収納部３Ａと注ぎ口３Ｂとの連通部は氷が沈む深さ位置にはなく、また、ブロック状の氷が浸入可能な広さとなっていないので、氷は水収納部３Ａへは浸入せず、注ぎ口３Ｂに滞留し、氷水における水だけが水収納部３Ａへ流入することとなる。なお、溶けたり割れた小粒の氷は氷水を注いだいきおいで水収納部３Ａへ流入することはある。
【００２５】
このように、本発明の冷却補助容器１は、氷を注ぎ口３Ｂにおいて滞留させ、水収納部３Ａでは水だけを流入させる構成とすることで、氷を流入させる空間を確保する必要がない分だけ大型化を抑制できる。
【００２６】
また、図３に示すように、本実施例における冷却補助容器１は、水収納部３Ａにおいて、注ぎ口３Ｂ側から、離反する方向へ下り勾配の傾斜３Ａａが設けられている。この傾斜３Ａａを設けることにより、水の温度差による対流を傾斜３Ａａによって促進することができる。
【００２７】
すなわち、注ぎ口３Ｂにおいて滞留する氷で冷えた水は水収納部３Ａの傾斜３Ａａに促されて該水収納部３Ａの深い（底）部分へ移動し、水収納部３Ａにおいて容器２により温められた水は水収納部３Ａの上方へ移動する。
【００２８】
このとき、傾斜部３Ａａを形成しておけば、注ぎ口３Ｂで冷えた水の傾斜部３Ａａに促された移動により、水収納部３Ａにおける全体の水が対流することとなり、容器２を速やかに冷やすことができる。
【００２９】
さらに、外容器３は、容器２が嵌入する開口上端における直径対向位置に、該容器２を固定する固定機構３Ｃ，３Ｃを設けている。この固定機構３Ｃ，３Ｃは、容器２の係合部２Ａ（開口上端縁部）をフック状の部材で係合しておく構造としているが、特にこれに限定されない。
【００３０】
なお、外容器３は、容器２の係合部２Ａの下部が当接する水収納部３Ａの開口上縁部にシール部材２ｃを設けておけば、上記固定機構３Ｃ，３Ｃによって容器２が移動しないように固定しておくことができるうえ、容器２の係合部２Ａの裏側と密着することによって、該水収納部３Ａの水が該容器２内へ、容器２の飲食物が水収納部３Ａへ、流入することを防止できる。
【００３１】
また、外容器３における注ぎ口３Ｂの開口における、容器２から離間する方向の端縁部にはこの端縁部以外と較べて高さの低い段部３Ｂａが形成されている。氷水の入ったコップを注ぎ口３Ｂから注ぐ際、該コップの開口端部を段部３Ｂａに当接させれば、氷水をこぼすことなく上手く注ぎ口３Ｂに注ぐことができる。
【００３２】
さらに、図４に示すように、注ぎ口３Ｂの内側、本実施例では上記段差３Ｂａの下部に、水位（水の量）の目安となる水位表示３ａが形成されている。本実施例では、外食産業で利用される一般的なコップの水量である２００ミリリットルを目安としている。
【００３３】
また、図５に示すように、外容器３の外周部、本実施例では注ぎ口３Ｂと直径方向に対向した位置には、内側に抉れた抉れ部３ｂが形成されている。この抉れ部３ｂは、例えば冷却補助容器１により容器２内で十分に冷却された飲食物を他の容器に移す際、他の容器の縁を外容器３に接近させて、移しやすくするためのものである。
【００３４】
なお、本実施例では、図示していないが、冷却補助容器１には、容器２に対しての蓋を備えていてもよい。蓋を設けておけば、容器２の冷却中、少しの時間でも容器２内の飲食物が外気に接触しないようにでき、衛生的である。
【００３５】
また、冷却補助容器１は、注ぎ口３Ｂの開口を覆う開閉自在な蓋部材を備えておいてもよい。注ぎ口３Ｂに蓋部材を備えておけば、氷水を注ぐ時以外は蓋部材を閉じた状態として、不意に冷却補助容器１毎移動させても氷水を外容器３外へこぼすことがない。
【００３６】
例えば出来たてのお粥は熱くて直ぐに食べることができないが、以上の構成とされた冷却補助容器１における容器２にお粥を入れて、外容器３に容器２を嵌入して注ぎ口３Ｂから氷水を注げば、該容器２（の内容物であるお粥）が速やかに適度に冷却され、冷めるのを待つ時間が短縮されて早く食べ始めることができる。
【００３７】
さらに、本発明の冷却補助容器１は、容器２が電子レンジ使用可能な樹脂製の場合、該容器２に上記で蓋などをして、電子レンジで加熱し、その加熱した後の容器２を外容器３に装着して、氷水を注ぎ口３Ｂから注いで適温に冷やして飲食するといった使用も可能である。
【００３８】
そして、本発明の冷却補助容器１は、水収納部３Ａに氷が浸入せず、氷は注ぎ口３Ｂに滞留させる構成であるため、該水収納部３Ａは氷を収納しなくてよい分だけ外形形状を小型化することができ、したがって、外食時に、携帯することができる。
【符号の説明】
【００３９】
１  冷却補助容器
２  容器
３  外容器
３Ａ  水収納部
３Ａａ  傾斜
３Ｂ  注ぎ口
３Ｂａ  段部
【図１】
2019162225.tif 000003
【図２】
2019162225.tif 000004
【図３】
2019162225.tif 000005
【図４】
2019162225.tif 000006
【図５】
2019162225.tif 000007